(57)【特許請求の範囲】
【請求項１】
電線を支持するための腕金の周囲における除去対象物を除去するべく前記除去対象物を把持するときに閉じる金属製の一対のアームと、前記一対のアームを支持する絶縁性の支持棒と、を有する除去装置の前記一対のアームに取り付けられる取付装置であって、
前記一対のアームの先端に着脱可能に取り付けられる一対の取付具と、
前記除去対象物を把持するべく前記一対の取付具から突出する絶縁性の一対の突片と、
前記一対の取付具に固定され、前記除去対象物を除去するときに前記一対のアームが前記腕金に接触しないように前記一対のアームを覆う絶縁性のカバーと、
を備えたことを特徴とする取付装置。
【請求項２】
前記一対の突片の夫々の幅は、前記一対の取付具から離れるにつれて広くなる
ことを特徴とする請求項１に記載の取付装置。
【請求項３】
前記一対の突片の夫々の幅は、前記一対の取付具から離れるにつれて狭くなり、前記一対の突片の夫々の先端は尖っている
ことを特徴とする請求項１に記載の取付装置。
【請求項４】
前記カバーは、
前記一対の取付具のうちの一方の取付具に固定され、前記一対のアームのうちの一方のアームを覆う第１カバーと、
前記一対の取付具のうちの他方の取付具に固定され、前記一対のアームのうちの他方のアームを覆い、前記第１カバーと結合される第２カバーと、を含む
ことを特徴とする請求項１乃至３の何れかに記載の取付装置。
【請求項５】
前記カバーは、少なくも前記一対のアームと前記一対の取付具を開口を通して覆う袋形状を呈している
ことを特徴とする請求項１乃至３の何れかに記載の取付装置。
【請求項６】
前記カバーは、透明である
ことを特徴とする請求項１乃至５の何れかに記載の取付装置。
【請求項７】
電線を支持するための腕金の周囲における除去対象物を除去するべく前記除去対象物を把持するときに閉じる金属製の一対のアームと、
前記一対のアームを支持する絶縁性の支持棒と、
前記一対のアームに取り付けられる取付装置と、を備え、
前記取付装置は、
前記一対のアームの先端に着脱可能に取り付けられる一対の取付具と、
前記除去対象物を把持するべく前記一対の取付具から突出する絶縁性の一対の突片と、
前記一対の取付具に固定され、前記除去対象物を除去するときに前記一対のアームが前記腕金に接触しないように前記一対のアームを覆う絶縁性のカバーと、を有する
ことを特徴とする除去装置。
【発明の詳細な説明】
【技術分野】
【０００１】
本発明は、取付装置、除去装置に関する。
【背景技術】
【０００２】
例えば、把持対象物を把持するときに閉じる金属製の一対のアームと、当該一対のアームを支持する支持棒とを有するヤットコが知られている（例えば特許文献１）。
【先行技術文献】
【特許文献】
【０００３】
【特許文献１】特開２００７―８２３３０号公報
【発明の概要】
【発明が解決しようとする課題】
【０００４】
例えば、特許文献１のヤットコは、電線を支持するための腕金の周囲における除去対象物を除去するのに用いられる。電線に接触している除去対象物をアームで把持したときに当該アームが腕金に接触した場合、当該接触により例えば地絡事故が引き起こされる虞がある。
【課題を解決するための手段】
【０００５】
前述した課題を解決する主たる本発明は、電線を支持するための腕金の周囲における除去対象物を除去するべく前記除去対象物を把持するときに閉じる金属製の一対のアームと、前記一対のアームを支持する絶縁性の支持棒と、を有する除去装置の前記一対のアームに取り付けられる取付装置であって、前記一対のアームの先端に着脱可能に取り付けられる一対の取付具と、前記除去対象物を把持するべく前記一対の取付具から突出する絶縁性の一対の突片と、前記一対の取付具に固定され、前記除去対象物を除去するときに前記一対のアームが前記腕金に接触しないように前記一対のアームを覆う絶縁性のカバーと、を備えたことを特徴とする取付装置である。
【０００６】
本発明の他の特徴については、添付図面及び本明細書の記載により明らかとなる。
【発明の効果】
【０００７】
本発明によれば、除去装置のアームが腕金に接触するのを防止することができる。
【図面の簡単な説明】
【０００８】
【図１】本発明の第１実施形態におけるヤットコを示す図である。
【図２】本発明の第１実施形態における第１及び第２取付装置とアームとを示す斜視図である。
【図３】本発明の第１実施形態における第１取付装置を示す斜視図である。
【図４】本発明の第１実施形態における第１取付装置が取り付けられた状態のアームを示す側面図である。
【図５】本発明の第１実施形態における第１取付装置の一部を示す斜視図である。
【図６】本発明の第１実施形態における第１取付装置の一部を示す断面図である。
【図７】本発明の第１実施形態における第１及び第２取付装置と開かれた状態のアームとを示す図である。
【図８】本発明の第１実施形態における第１及び第２取付装置と閉じられた状態のアームとを示す図である。
【図９】本発明の第１乃至第５実施形態におけるヤットコが用いられる電柱と電力線を示す図である。
【図１０】本発明の第２実施形態における第１及び第２取付装置とアームとを示す斜視図である。
【図１１】本発明の第３実施形態における取付装置を示す斜視図である。
【図１２】本発明の第４実施形態における第１取付装置を示す斜視図である。
【図１３】本発明の第５実施形態における第１取付装置を示す斜視図である。
【発明を実施するための形態】
【０００９】
本明細書および添付図面の記載により、少なくとも以下の事項が明らかとなる。
【００１０】
[第１実施形態]
＝＝＝ヤットコ＝＝＝
以下、図１を参照して、本実施形態におけるヤットコについて説明する。図１は、本実施形態におけるヤットコを示す図である。尚、アーム３、第１取付装置７及び第２取付装置８における、第１カバー７３及び第２カバー８３に覆われている部分については、説明の便宜上、点線で示されている。
【００１１】
本実施形態において、Ｚ軸は主軸２１が延在する方向に沿う軸であり、主軸２１におけるアーム３が取り付けられていない一端からアーム３が取り付けられている他端に向かう方向を＋Ｚ方向とし、主軸２１における当該他端から一端に向かう方向を−Ｚ方向とする。Ｙ軸は、アーム３を回動させるための回動軸３３が延在する方向に沿う軸であり、回動軸３３の手前側から奥側に向かう方向と＋Ｙとし、回動軸３３の奥側から手前側に向かう方向を−Ｙとする。Ｘ軸は、Ｙ軸及びＺ軸の双方に対して直行する軸であり、一方側から他方側に向かう方向を＋Ｘとし、他方側から一方側に向かう方向を−Ｘとする。
【００１２】
ヤットコ１００（除去装置）は、例えば電力線４７（電線）（図９）を支持するための金属製の腕金４３の周囲における除去対象物４４、４５を除去するための装置である。つまり、ヤットコ１００は、例えば電力線４７（図９）等に関する作業を行うための装置である。
【００１３】
ヤットコ１００は、主軸２１（支持棒）、操作レバー２２、伝達部２３、アーム３、第１取付装置７、第２取付装置８を有する。  
主軸２１は、アーム３を支持するための、長尺形状を呈する絶縁性の棒部材である。主軸２１は、ヤットコ１００を用いて作業を行う作業員のための持ち手としても機能する。  
アーム３は、対象物を把持するめの金属製の回動アームである。アーム３は、主軸２１の他端（先端）に取り付けられた状態で、主軸２１に支持される。尚、アーム３については、後述する。
【００１４】
第１取付装置７及び第２取付装置８は、電力線４７（図９）等に関する作業を行うための、アーム３の先端に着脱自在に取り付けられる一対の装置である。尚、第１取付装置７及び第２取付装置８については、後述する。
【００１５】
操作レバー２２は、アーム３を回動させるための絶縁性のレバーである。操作レバー２２は、例えば略Ｌ字形状を呈する。操作レバー２２は、アーム３の回動軸３３に沿った回動軸２２Ａを中心にＡ１方向又はＡ２方向に回動可能となるように、主軸２１に取り付けられる。操作レバー２２の一方の端部は、操作レバー２２からの回動力を伝達部２３に伝達できるように、伝達部２３の一方の端部（−Ｚ）と連結される。操作レバー２２の他方の端部は、ヤットコ１００を用いて作業を行う作業員が操作レバー２２を操作できるように下側（−Ｚ）に向かって突出している。
【００１６】
伝達部２３は、操作レバー２２からの回動力をアーム３に伝達するための、長尺形状を呈する絶縁性の棒部材である。伝達部２３の一方の端部は、前述したように、操作レバー２２の一方の端部と連結される。伝達部２３の他方の端部（＋Ｚ）は、操作レバー２２からの回動力をアーム３に伝達できるように、連結部材３２Ａを介してアーム３と連結される。
【００１７】
＝＝＝ヤットコのアーム＝＝＝
以下、図１及び図２を参照して、本実施形態におけるヤットコのアームについて説明する。図２は、本実施形態における第１及び第２取付装置とアームとを示す斜視図である。尚、アーム３、第１取付装置７及び第２取付装置８における第１カバー７３及び第２カバー８３に覆われている一部については、説明の便宜上、点線で示されている。
【００１８】
アーム３は、除去対象物４４、４５（図９）を把持するめの金属製の回動アームである。つまり、アーム３は、除去対象物４４、４５を除去するべく除去対象物を把持するときに閉じるアームである。アーム３は、一対のアームであり、第１アーム３１、第２アーム３２を有する。
【００１９】
第１アーム３１は、主軸２１の先端（＋Ｚ）に固定される金属製の固定アームである。第１アーム３１は、第２アーム３２と対となって対象物を把持できるように、湾曲した形状を呈する。第１アーム３１の一方の端部（−Ｚ）は、主軸２１の先端と結合される。第１アーム３１の他方の端部（＋Ｚ）は、主軸２１が延在する方向（Ｚ軸）との間で所定角度が形成される方向に沿い、且つ、主軸２１から離れる方向に向かって突出している。
【００２０】
第２アーム３２は、回動軸３３を中心にＢ１方向又はＢ２方向（図１）に回動できるように、第１アーム３１に取り付けられる金属製の可動アームである。第２アーム３２は、第１アーム３１と対となって対象物を把持できるように、略Ｌ字に湾曲した形状を呈する（図８）。第２アーム３２の一方の端部（図８の＋Ｘ）は、伝達部２３からの力が伝達されるように、連結部材３２Ａを介して伝達部２３の他方の端部（＋Ｚ）と連結される。第２アーム３２の他方の端部（＋Ｚ）は、主軸２１が延在する方向に略沿い、且つ、主軸２１から離れる方向（＋Ｚ）に向かって突出している。
【００２１】
＝＝＝第１取付装置及び第２取付装置＝＝＝
以下、図２乃至図５を参照して、本実施形態における第１取付装置及び第２取付装置について説明する。図３は、本実施形態における第１取付装置を示す斜視図である。尚、第１カバー７３における手前側（＋Ｙ側）の一部に重なっている第１カバー７３の奥側（−Ｙ）の一部の縁については、説明の便宜上、点線で示されている。図４は、本実施形態における第１取付装置が取り付けられた状態のアームを示す側面図である。尚、カバー７３に覆われている第１取付装置の一部、第１アーム３１、連結部材３２Ａ、伝達部２３については、説明の便宜上、点線で示されている。又、伝達部２３の一部は、説明の便宜上、省略されている。図５は、本実施形態における第１取付装置の一部を示す斜視図である。尚、第１カバー７３は、説明の便宜上、省略されている。
【００２２】
第１取付装置７及び第２取付装置８は、電力線４７（図９）等に関する作業を行うための、アーム３の先端に着脱自在に取り付けられる一対の絶縁性の装置である。第１取付装置７及び第２取付装置８は夫々、第１アーム３１の先端３１１（図７）、第２アーム３２の先端３２１に取り付けられる。尚、第１取付装置７及び第２取付装置８は、同様な構成であるので、第１取付装置７の構成について説明し、第２取付装置８の構成については、その説明は省略する。
【００２３】
第１取付装置７は、本体部７２（取付具）、先端部７１、第１カバー７３、留め具７９Ａ、７９Ｂ、操作部７４を有する。
【００２４】
本体部７２は、固定アーム３１の先端３１１が挿入される挿入孔７５（図５）を有し、当該先端３１１に着脱可能に取り付けられる絶縁性の部材である。本体部７２は、例えば多角柱形状を呈し、固定アーム３１の先端３１１が内部に挿入されるように、挿入孔７５と連通する中空構造を有する。
【００２５】
先端部７１は、除去対象物４４、４５を把持するための透明の絶縁性の部材である。先端部７１は、本体部７２における挿入孔７５が設けられている面とは反対側の面（＋Ｚ）から外側に向かって突出する突片である。先端部７１は、例えば本体部７２と一体的に形成される。先端部７１は、対向面７１Ａを有する。尚、この対向面７１Ａは、第２アーム３２がＢ２方向に回動（図８）されたときに第２取付装置８の先端部８１における対向面８１Ａと対向する。先端部７１は、例えば電力線４７（図９）等に関する作業が容易となるように、平板形状を呈する。先端部７１は、第１の領域７１１（図４）及び第２の領域７１２を有する。第１の領域７１１は、先端部７１が延在する方向（Ｚ軸）における本体部７２から離れるにつれて、回動軸３３（図２）に沿う方向（Ｙ軸）の幅が広くなるような形状を呈する。第２の領域７１２は、回転軸３３に沿う方向の幅が所定長さの状態で、先端部７１が延在する方向（Ｚ軸）において本体部７２から離れる方向（＋Ｚ）に向かって延在するような形状を呈する。つまり、先端部７１の幅は、本体部７２から離れるにつれて広くなっている。そして、先端部７１は、例えば、本体部７２からくちばし状に突出したヘラ形状を呈する。
【００２６】
第１カバー７３は、除去対象物４４、４５（図９）を除去するときにアーム３が腕金４３に接触しないようにアーム３を覆う絶縁性のシート材である。第１カバー７３は、例えば電力線４７（図９）等に関する作業を行う際の作業対象物（例えば除去対象物４４、４５）の目視が、第１カバー７３によって妨げられないように、透明にされている。第１カバー７３は、第１アーム３１の手前側（−Ｙ）の面、第１アーム３１の奥側（＋Ｙ）の面を覆う形状を呈する。第１カバー７３は、更に、第１アーム３１の一方側の面（＋Ｘ）及び連結部材３２Ａを覆う形状を呈する。第１カバー７３は、例えば、一枚の絶縁性のシート材が本体部７２に取り付け（固定）られることにより形成されることとしてもよい。第１カバー７３の本体部７２側の縁は、例えば取付部材７２Ａ（図３）、取付部材７２Ｂ、取付部材７２Ｄ（図２）によって、本体部７２に固定される。尚、第１カバー７３の本体部７２側の縁が、接着剤等で本体部７２に接着されることとしてもよい。又、第１カバー７３の本体部７２側の縁は、操作部７４が第１カバー７３で覆われるように、先端部７１が延在する方向における操作部７４よりも先端部７１側の所定位置に固定される。
【００２７】
留め具７９Ａ、７９Ｂは、第１取付装置７が固定アーム３１に取り付けられたときに第１カバー７がめくれてアーム３１の外面が露出するのを防止するための、当該第１カバー７のめくれを防止するための部材である。尚、留め具７９Ａと留め具７９Ｂとは、同様な構成であるので、留め具７９Ａについて説明し、留め具７９Ｂの説明については省略する。留め具７９Ａは、第２取付装置８の第２カバー８３における留め具８９Ａと係合する形状を呈する例えば釦である。留め具７９Ａは、留め具８９Ａを対向する位置に設けられる。尚、留め具８９Ａは、留め具７９Ａと同様な構成である。
【００２８】
操作部７４は、固定アーム３１に対して第１取付装置７を着脱する際に操作される例えば絶縁性の部材である。尚、操作部７４については、後述する。
【００２９】
＝＝＝操作部＝＝＝
以下、図５乃至図７を参照して、本実施形態における操作部について説明する。図６は、本実施形態における第１取付装置の一部を示す断面図である。尚、第１カバー７３は、説明の便宜上、省略されている。図６は、図５におけるＺ１―Ｚ２断面において＋Ｙ方向から−Ｙ方向に向かって見たときの第１取付装置７を示す断面図である。図７は、本実施形態における第１及び第２取付装置と開かれた状態のアームとを示す図である。尚、第１カバー７３及び第２カバー８３に覆われている第１取付装置７、第２取付装置８、第１アーム３１、第２アーム３２、連結部材３２Ａ、伝達部２３、主軸２１については、説明の便宜上、点線で示されている。又、第１アーム３１の先端３１１、及び、第２アーム３２の先端３２１は、第１取付装置７及び第２取付装置８に挿入されて見えない状態となっているが、説明の便宜上、点線で示されている。
【００３０】
操作部７４は、前述したように、第１アーム３１に対して第１取付装置７を着脱する際に操作される例えば絶縁性の部材である。操作部７４（図６）は、操作ヘッド７４１、係止ピン７４２を有する。
【００３１】
操作ヘッド７４１は、係止ピン７４２を移動させるために操作される。  
係止ピン７４２は、第１アーム３１に対して第１取付装置７を固定するための部材である。係止ピン７４２は、第１取付装置７に対して第１アーム３１の先端３１１が挿入される方向（Ｚ軸）と交差する方向（Ｘ軸）に延在する比較的短い長さの棒部材である。係止ピン７４２の上側（＋Ｘ）の端部には、ヘッド７４１が結合される。係止ピン７４２の下側（−Ｚ）の端部は、本体部７２における中空部７２１に向かって延在するような形状を呈する。係止ピン７４２は、係止ピン７４２の下側の端部が中空部７２１に対して進退自在となるように、本体部７２に設けられる。係止ピン７４２は、例えばスプリング７６からの下側（−Ｘ）に向かう付勢力に基づいて、下側に向かって付勢されている。つまり、係止ピン７４２の下側の端部は、スプリング７６からの下側に向かう付勢力に基づいて、中空部７２１において突出している（図６）。
【００３２】
尚、第１アーム３１の先端３１１における係止ピン７４２と対向する位置には、当該係止ピン７４２が嵌る凹部（不図示）が設けられていることとする。
【００３３】
＝＝＝第１アームに対する第１取付装置の着脱＝＝＝
以下、図２、図５及び図６を参照して、本実施形態における第１アームに対する第１取付装置の着脱について説明する。
【００３４】
第１アーム３１に対して第１取付装置７を着脱する構成と、第２アーム３２に対して第２取付装置８を着脱する構成とは同様であるの、第１アーム３１に対して第１取付装置７を着脱する構成についてのみ説明し、第２アーム３２に対して第２取付装置８を着脱する構成の説明は省略する。
【００３５】
例えば、第１取付装置７が取り付けられていない状態の第１アーム３１に対して第１取付装置７が取り付けられる場合と、第１取付装置７が取り付けられている状態の第１アーム３１から第１取付装置７が取り外される場合とに分けて説明する。
【００３６】
＜第１アーム３１に対して第１取付装置７が取り付けられる場合＞
スプリング７６（図６）の下側（−Ｘ）に向かう付勢力に抗する上側（＋Ｘ）側に向かう力（以下、「上側への力」とも称する）が操作ヘッド７４１に伝達さられる。操作ヘッド７４１とともに係止ピン７４２が、スプリング７６の付勢力に抗して上側に移動される。係止ピン７４２は、中空部７２１から退避する。第１アーム３１の先端３１１が、挿入孔７５を介して中空部７２１に挿入される。第１アーム３１の凹部と係止ピン７４２の先端（図６の−Ｘ）とが対向する位置まで、固定アーム３１が挿入される。この後、操作ヘッド７４１に対する、上側への力の伝達が取りやめられる。係止ピン７４２は、スプリング７６からの付勢力に基づいて、下側に移動する。係止ピン７４２の下側の端部が固定アーム３１の凹部と嵌合する。そして、第１アーム３１に対して第１取付装置７が固定されることとなる。
【００３７】
尚、この後、例えば、第２取付装置８が、第２アーム３２に対して固定される。第２アーム３２に取り付けられている第２取付装置８の留め具８９Ａに対して、留め具７９Ａが係合される。又、留め具７９Ｂが、第２取付装置８における当該留め具７９Ｂと対向する位置に設けられている留め具（不図示）（以下、「第２取付装置８の他の留め具」とも称する）と係合される。そして、第１カバー７３と第２カバー８３とが結合されることになる。
【００３８】
つまり、一対の第１アーム３１及び第２アーム３２は、例えば除去対象物４４、４５（図９）を除去するときに当該一対の第１アーム３１及び第２アーム３２が腕金４３に接触しないように、第１カバー７３及び第２カバー８３に覆われることになる。
【００３９】
＜第１アーム３１から一対の第１取付装置７が取り外される場合＞
例えば、留め具７９Ａ、７９Ｂが留め具８９Ａ、第２取付装置８の他の留め具から取り外される。スプリング７６（図６）の下側（−Ｘ）に向かう付勢力に抗する上側（＋Ｘ）側に向かう力が操作ヘッド７４１に伝達される。操作ヘッド７４１とともに係止ピン７４２がスプリング７６の付勢力に抗して上側に移動される。第１アーム３１の先端３１１が、挿入孔７５を介して中空部７２１から取り外される。この後、操作ヘッド７４１に対する、上側への力の伝達が取りやめられる。係止ピン７４２は、スプリング７６からの付勢力に基づいて、下側に移動する。以上より、第１アーム３１から第１取付装置７が取り外されることとなる。
【００４０】
尚、例えば、操作ヘッド７４１の操作は、第１カバー７３がめくりあげられた状態で行われることとしてもよい。
【００４１】
＝＝＝アームの回動動作＝＝＝
以下、図１、図７及び図８を参照して、本実施形態におけるアームの回動動作について説明する。図８は、本実施形態における第１及び第２取付装置と閉じられた状態のアームとを示す図である。尚、第１カバー７３、第２カバー８３に覆われている第１取付装置７、第２取付装置８、第１アーム３１、第２アーム３２、連結部材３２Ａ、伝達部２３、主軸２１については、説明の便宜上、点線で示されている。又、第１アーム３１の先端３１１、及び、第２アーム３２の先端３２１は、第１取付装置７及び第２取付装置８に挿入されて見えない状態となっているが、説明の便宜上、点線で示されている。
【００４２】
例えば、第２アーム３２をＢ２方向に回動させてアーム３を閉じる場合と、第２アーム８をＢ１方向に回動させてアーム３を開く場合とに分けて、アーム３の回動動作について説明する。
【００４３】
＜第２アーム３２をＢ２方向に回動させてアーム３を閉じる場合＞
操作レバー２２（図１）をＡ２方向に回動させる力が、操作レバー２２の下側の端部（−Ｚ）に加えられる。伝達部２３及び連結部材３２Ａは、操作レバー２２からの力を第２アーム３２に伝達する。第２アーム３２は、当該伝達された力により、回動軸３３を中心にＢ２方向に回動される。以上より、アーム３が閉じた状態となる。このとき、例えば、第１取付装置７の対向面７１Ａ（図２）と、第２取付装置８の対向面８１Ａとが当接する（図８）こととなる。
【００４４】
＜第２アーム３２をＢ１方向に回動させてアーム３を開く場合＞
操作レバー２２（図１）をＡ１方向に回動させる力が、操作レバー２２の下側の端部（−Ｚ）に加えられる。伝達部２３及び連結部材３２Ａは、操作レバー２２からの力を第２アーム３２に伝達する。第２アーム３２は、当該伝達された力により、回動軸３３を中心にＢ１方向に回動される。以上より、アーム３が開いた状態となる（図７）。
【００４５】
＝＝＝電力線等に関する作業＝＝＝
以下、図１及び図９を参照して、本実施形態における電力線等に関する作業について説明する。図９は、本実施形態におけるヤットコが用いられる電柱と電力線を示す図である。
【００４６】
電柱４１は、電線４７を支持するために立設している。電柱４１には、例えば、腕金４３、足場４２が設けられる。  
腕金４３は、電力線４７を支持するための金属製の腕金である。腕金４３上には、電力線４７を支持する絶縁ブッシング４６が設けられる。  
足場４２は、電力線４７の下側（−Ｚ）から、例えば電力線４７に関する作業等を行う際の当該作業を行う作業員のための足場である。
【００４７】
例えば、電力線４７に蛇等の除去対象物４５等がからみついている場合、当該除去対象物４５を介して電力線４７と腕金４３とが接続されて地絡事故等が発生する虞がある。従って、電力線４７にからみついている除去対象物４５を腕金４３の周囲から除去する必要がある。又、腕金４３上に設けられた鳥の巣等の除去対象物４４についても、同様に除去する必要がある。
【００４８】
除去対象物４４、４５を除去する際、ヤットコ１００が用いられる。例えば、除去対象物４５は、アーム３のに取り付けられた先端部７１、８１に把持されて、腕金４３の周囲から除去される。このとき、アーム３は、第１カバー７３及び第２カバー８３によって覆われているために、除去対象物４４、４５を除去するときに、腕金４３に接触するのが防止される。つまり、ヤットコ１００を用いて除去対象物４４、４５を除去する際に、アーム３と腕金４３との接触による例えば地絡事故等が引き起こされるのが防止されることとなる。
【００４９】
[第２実施形態]
＝＝＝第１及び第２取付装置＝＝＝
以下、図１０を参照して、本実施形態における第１及び第２取付装置について説明する。図１０は、本実施形態における第１及び第２取付装置とアームとを示す斜視図である。尚、図２と同様な構成については、同様な符号を付すのみで、その説明については省略する。
【００５０】
第２実施形態における第１取付装置７Ｂ、第２取付装置８Ｂは、第１実施形態の第１取付装置７の第１カバー７３及び第２取付装置８の第２カバー８３を、一つのカバー７３Ｂに変更したものである。
【００５１】
カバー７３Ｂは、例えば一枚の透明且つ絶縁性のシート材である。カバー７３Ｂは、第１取付装置７Ｂの本体部７２及び第２取付装置８Ｂの本体部８２の双方に対して、例えば取付部材７２Ｅ、８２Ｅ等によって取り付けられる。カバー７３Ｂは、例えば、主軸２１が延在する方向（Ｚ軸）を中心に巻回された状態で、アーム３の外面を覆うように本体部７２、８２に固定される。つまり、カバー７３Ｂは、除去対象物４４、４５（図９）を除去するときにアーム３が腕金４３に接触しないようにアーム３を覆っている。カバー７３Ｂは、カバー７３Ｂがめくれてアーム３の外面が露出するのを防止するために、Ｚ軸に沿った一方の縁が留め具７９Ｂによってカバー７３Ｂの当該一方の縁と対向する位置に固定される。
【００５２】
[第３実施形態]
＝＝＝取付装置＝＝＝
以下、図１１を参照して、本実施形態における取付装置について説明する。図１１は、本実施形態における取付装置を示す斜視図である。尚、図２と同様な構成については、同様な符号を付すのみで、その説明については省略する。
【００５３】
取付装置７００は、先端部７０１、８０１（突片）、本体部７０２、８０２（取付具）、カバー５０を有している。  
本体部７０２、８０２は、ヤットコ１００のアーム３の先端に着脱自在に取り付けられる絶縁性の一対の部材である。本体部７０２、８０２は夫々、第１実施形態における本体部７２、８２と同様な構成である。  
先端部７０１、８０１は、除去対象物４４、４５（図９）を把持するべく一対の本体部７０２、８０２から突出する絶縁性の一対の突片である。先端部７０１、８０１は、第１実施形態における先端部７１、８１と同様な構成である。
【００５４】
カバー５０は、除去対象物４４、４５を除去するときにアーム３が腕金４３に接触しないようにアーム３を覆う透明の絶縁性のカバーである。カバー５０は、一つの袋形状を呈する。カバー５０は、第１開口５４、第２開口５５、第３開口５６、絞り部５３を有する。
【００５５】
第２開口５５は、本体部７０２の一部及び先端部７０１を露出させるための開口である。第２開口５５は、本体部７０２の一部及び先端部７０１と対向する位置に設けられる。尚、カバー５０における開口５５の周囲は、本体部７０２の外面に対して接着剤で接着（固定）されていることとする。このとき、本体部７０２における露出している一部とは異なる他の一部は、カバー５０内に入れられた状態となる。
【００５６】
第３開口５６は、本体部８０２の一部及び先端部８０１を露出させるための開口である。第３開口５５は、本体部８０２の一部及び先端部８０１と対向する位置に設けられる。尚、カバー５０における開口５６の周囲は、本体部８０２の外面に対して例えば接着剤で接着（固定）されていることとする。このとき、本体部８０２における露出している一部とは異なる他の一部は、カバー５０内に入れられた状態となる。  
以上より、本体部７０２、８０２、カバー５０は一体となっている。
【００５７】
第１開口５４は、本体部７０２、８０２が第１アーム３１、第２アーム３２に取り付けられるときに、第１アーム３１及び第２アーム３２の双方が挿通される開口である。
【００５８】
絞り部５３は、カバー５０における開口５４の開口幅を絞るために、開口５４の近傍に設けられる。絞り部５３は、絞り紐５２Ａ、５２Ｂを有する。絞り紐５２Ａ、５２Ｂは、絞り紐５２Ａ、５２Ｂの先端を引っ張ると開口５４の開口幅が絞られるように、カバー５０に設けられていることとする。
【００５９】
＝＝＝アームに対する取付装置の取り付け＝＝＝
以下、図１１を参照して、本実施形態におけるアームに対する取付装置の取り付けについて説明する。
【００６０】
第１アーム３１及び第２アーム３２の双方が、開口５４を介してカバー５０の内部に入れられる。本体部７０２、８０２が第１アーム３１、第２アーム３２に取り付けられる。絞り紐５２Ａ、５２Ｂが引っ張られて、カバー５０における開口５４の開口幅が絞られる。以上より、第１アーム３１、第２アーム３２、本体部７０２の一部、本体部８０２の一部が、第１開口５４を通してカバー５０に覆われることになる。
【００６１】
[第４実施形態]
＝＝＝第１取付装置＝＝＝
以下、図１２を参照して、本実施形態における第１取付装置について説明する。図１２は、本実施形態における第１取付装置を示す斜視図である。尚、図３と同様な構成については、同様な符号を付すのみで、その説明については省略する。
【００６２】
第４実施形態における第１取付装置７Ｄは、第１実施形態における第１取付装置７における先端部７１を、先端部７９に変更したものである。  
先端部７９の幅は、本体部７２から離れるにつれて狭くなっている。先端部７９の先端は尖っている。
【００６３】
第１取付装置７Ｄが第１アーム３１の先端３１１に取り付けられ、第１取付装置７Ｄと同様な構成の第２取付装置が第２アーム３２の先端３２１に取り付けられることとする。
【００６４】
[第５実施形態]
＝＝＝第１取付装置＝＝＝
以下、図１３を参照して、本実施形態における第１取付装置について説明する。図１３は、本実施形態における第１取付装置を示す斜視図である。尚、挿入孔９５は見えない状態となっているが、説明の便宜上、点線で示されている。第１カバー９３における手前側の飯給剤９３Ａと重なっている部分は、説明の便宜上、点線で示されている。  
第１取付装置９は、先端部９９、本体部９２、操作部９４、第１カバー９３を有する。
【００６５】
本体部９２は、第１取付装置９を第１アーム３１の先端３１１に着脱可能に取り付けるための絶縁性の部材である。本体部９２の構成は、第１実施形態における本体部７２の構成と同様である。
【００６６】
操作部９４は、固定アーム３１に対して第１取付装置９を着脱する際に操作される例えば絶縁性の部材である。操作部９４の構成は、第１実施形態における操作部７４の構成と同様である。
【００６７】
第１カバー９３は、除去対象物４４、４５（図９）を除去するときにアーム３が腕金４３に接触しないように、第１アーム３１を覆う透明の絶縁性のカバーである。第１カバー９３は、３枚の板部材９３Ａ、９３Ｂ、９３Ｃを有し、一体的に形成される。板部材９３Ａ、９３Ｂ、９３Ｃは、隙間９６に挿入された第１アーム３１を覆うよう結合される。第１カバー９３は、本体部９２における先端部９９とは反対側（−Ｚ）に取り付けられる。
【００６８】
先端部９９は、除去対象物４４、４５を把持するための絶縁性の突起である。先端部９９は、本体部９２から離れるにつれて太さが細くなる。先端部９９の先端は尖っている。
【００６９】
第１取付装置９が第１アーム３１の先端３１１に取り付けられ、第１取付装置９と同様な構成の第２取付装置が第２アーム３２の先端３２１に取り付けられることとする。
【００７０】
前述したように、第１取付装置７、第２取付装置８は、ヤットコ１００の一対の第１アーム３１及び第２アーム３２に取り付けられる。ヤットコ１００は、電力線４７（図９）を支持するための金属製の腕金４３の周囲における除去対象物４４、４５を除去するべく除去対象物４４、４５を把持するときに閉じる金属製の一対の第１アーム３１及び第２アーム３２（図１）と、一対の第１アーム３１及び第２アーム３２を支持する絶縁性の主軸２１と、を有する。第１取付装置７及び第２取付装置８は、一対の第１アーム３１及び第２アーム３２の先端に着脱可能に取り付けられる一対の本体部７２、８２を有する。又、第１取付装置７及び第２取付装置８は、除去対象物４４、４５を把持するべく一対の本体部７２、８２から突出する絶縁性の一対の先端部７１、８１を有する。更に、第１取付装置７及び第２取付装置８は、一対の本体部７２、８２に固定され、除去対象物４４、４５を除去するときに一対の第１アーム３１及び第２アーム３２が腕金４３に接触しないように一対の第１アーム３１及び第２アーム３２を覆う絶縁性の第１カバー７３、第２カバー８３を有する。これらの構成により、腕金４３の周囲から除去対象物４４、４５を除去するときに、一対の第１アーム３１及び第２アーム３２が腕金４３（図９）に接触するのが防止される。従って、例えば、電力線４７に接触している除去対象物４５を除去する際に、腕金４３に対する一対の第１アーム３１及び第２アーム３２の接触によって地絡事故が引き起こされるのを防止することができる。従って、除去対象物４４、４５を腕金４３の周囲から、ヤットコ１００を用いて除去する除去作業の安全性を向上させることができる。又、本体部７２、８２から突出している先端部７１、８１によって、除去対象物４４、４５を確実に把持することができる。従って、除去対象物４４、４５を腕金４３の周囲から、ヤットコ１００を用いて除去する除去作業の作業効率を向上させることができる。
【００７１】
又、一対の先端部７１、８１の夫々の幅は、一対の本体部７２、８２から離れるにつれて広くなる。この構成によって、先端部７１、８１における、除去対象物４４、４５を把持する把持面の面積を比較的広くすることができる。従って、先端部７１、８１によって、除去対象物４４、４５を確実に把持することができる。
【００７２】
又、先端部７９（図１２）の幅は、本体部７２から離れるにつれて狭くなる。先端部７９の先端は尖っている。従って、例えば、電力線４７に絡まっている蛇等の除去対象物４５を除去する際に、除去対象物４５と電力線４７との間の隙間に先端部７９の先端を挿入して、除去対象物４５を確実に把持することができる。よって、ヤットコ１００を用いて比較的細かい作業を行うことが可能となる。以上より、ヤットコ１００の使い勝手を向上させることができる。
【００７３】
又、第１カバー７３（図２）は、本体部７２に固定され、第１アーム３１を覆う。第２カバー８３は、本体部８２に固定され、第２アーム３２を覆い、第１カバー７３と結合される。これらの構成により、第１取付装置７、第２取付装置８を別体とすることができる。よって、第１取付装置７、第２取付装置８を夫々第１アーム３１、第２アーム３２に対して順次取り付けることが可能となる。従って、第１アーム３１及び第２アーム３２に対する着脱が容易で使い勝手のよい第１取付装置７、第２取付装置８を提供することができる。
【００７４】
又、カバー５０は、少なくとも一対の第１アーム３１及び第２アーム３２、一対の本体部７０２及本体部８０２を第１開口５４を介して覆う袋形状を呈している。この構成により、一対の第１アーム３１及び第２アーム３２をカバー５０で確実に覆うことができる。従って、除去対象物４４、４５を除去する際に、腕金４３に対して一対の第１アーム３１及び第２アーム３２が接触するのを確実に防止することができる。
【００７５】
又、第１カバー７３（図２）及び第２カバー８３は透明である。例えば、ヤットコ１００を用いて除去対象物４４、４５を除去する際に、第１カバー７３及び第２カバー８３によって遮られて除去対象物４４、４５を目視できなくなるのを防止することできる。従って、ヤットコ１００を用いて除去対象物４４、４５を除去する際の当該除去対象物４４、４５の視認性を向上させて、除去対象物４４、４５を除去する除去作業の作業効率及び安全性を向上させることができる。
【００７６】
又、ヤットコ１００は、一対の第１アーム３１及び第２アーム３２と、主軸２１と、第１取付装置７、第２取付装置８を有する。一対の第１アーム３１及び第２アーム３２は、電力線４７（図９）を支持するための金属製の腕金４３の周囲における除去対象物４４、４５を除去するべく除去対象物を把持するときに閉じる金属製のアームである。主軸２１は、一対の第１アーム３１及び第２アーム３２を支持する絶縁性の棒部材である。第１取付装置７及び第２取付装置８は、一対の第１アーム３１及び第２アーム３２の先端に着脱可能に取り付けられる一対の本体部７２、８２を有する。又、第１取付装置７及び第２取付装置８は、除去対象物４４、４５を把持するべく一対の本体部７２、８２から突出する絶縁性の一対の先端部７１、８１を有する。更に、第１取付装置７及び第２取付装置８は、一対の本体部７２、８２に固定され、除去対象物４４、４５を除去するときに一対の第１アーム３１及び第２アーム３２が腕金４３に接触しないように一対の第１アーム３１及び第２アーム３２を覆う絶縁性の第１カバー７３、第２カバー８３を有する。これらの構成により、腕金４３の周囲から除去対象物４４、４５を除去するときに、一対の第１アーム３１及び第２アーム３２が腕金４３（図９）に接触するのが防止される。従って、例えば、電力線４７に接触している除去対象物４５を除去する際に、腕金４３に対する一対の第１アーム３１及び第２アーム３２の接触によって地絡事故が引き起こされるのを防止することができる。従って、当該地絡事故の発生を防止して、除去対象物４４、４５を安全に除去できるヤットコ１００を提供することができる。又、本体部７２、８２から突出している先端部７１、８１によって、除去対象物４４、４５を確実に把持することができる。従って、除去対象物４４、４５を腕金４３の周囲から容易に除去可能が使い勝手のよいヤットコ１００を提供することができる。
【００７７】
尚、上記第１乃至第５実施形態は、本発明の理解を容易にするためのものであり、本発明を限定して解釈するためのものではない。本発明は、その趣旨を逸脱することなく、変更、改良され得るとともに、本発明にはその等価物も含まれる。
【００７８】
第３実施形態においては、先端部７０１、８０１、本体部７０２、８０２がカバー５０から露出する構成について説明したが、これに限定されるものではない。例えば、ヤットコ１００のアーム３と共に、当該アーム３に取り付けられている先端部７０１、８０１、本体部７０２、８０２の全てが覆われるような袋形状の透明かつ絶縁性のカバー（以下、「他のカバー」とも称する）を取付装置７００のカバーとして設けてもよい。この場合、ヤットコ１００の先端が腕金４３（図９）に接触するのを確実に防止することができる。又、他のカバーの形状を、例えば、先端部７０１、８０１が夫々別に覆われるような二股の形状としてもよい。この場合、先端部７０１と先端部８０１による除去対象物４４、４５の把持が容易となる。
【００７９】
又、第１実施形態においては、留め具７９Ａ、７９Ｂ、８９Ａ、第２取付装置８の他の留め具を用いて、第１カバー７３と第２カバー８３とを結合する構成について説明したが、これに限定されるものではない。例えば、第１カバー７３、第２カバー８３夫々における相互に対向する位置に面ファスナーを設けて、当該面ファスナーで第１カバー７３と第２カバー８３とが結合されることとしてもよい。又、例えば、第１カバー７３及び第２カバー８３を、クリップを用いて相互に固定してもよい。尚、当該クリップの表面は絶縁処理が施されていることとする。又、第１カバー７３及び第２カバー８３の互いに重なり合う位置に、第１カバー７３及び第２カバー８３に連続して貫通する貫通孔を設け、当該貫通孔に連続的に挿入される挿入ピンを有する留め具を用いて、第１カバー７３及び第２カバー８３を相互に結合させてもよい。又、例えば、第１カバー７３及び第２カバー８３は、接着剤で相互に接着されることとしてもよい。
【符号の説明】
【００８０】
３                    アーム
７、７Ｂ、７Ｄ、９    第１取付装置
８、８Ｂ              第２取付装置
３１                  第１アーム
３２                  第２アーム
４３                  腕金
４４、４５            除去対象物
４７                  電力線
５０、７３Ｂ          カバー
５４                  第１開口
７１、８１、７０１、８０１、９９  先端部
７２、８２、９２、７０２、８０２  本体部
７３、９３            第１カバー
８３                  第２カバー
１００                ヤットコ
７００                取付装置
【要約】
【課題】除去装置のアームが腕金に接触するのを防止する。
【解決手段】電線を支持するための腕金の周囲における除去対象物を除去するべく前記除去対象物を把持するときに閉じる金属製の一対のアームと、前記一対のアームを支持する絶縁性の支持棒と、を有する除去装置の前記一対のアームに取り付けられる取付装置であって、前記一対のアームの先端に着脱可能に取り付けられる一対の取付具と、前記除去対象物を把持するべく前記一対の取付具から突出する絶縁性の一対の突片と、前記一対の取付具に固定され、前記除去対象物を除去するときに前記一対のアームが前記腕金に接触しないように前記一対のアームを覆う絶縁性のカバーと、を備える。
【選択図】  図２【図１】
0005524320.tif 000002
【図２】
0005524320.tif 000003
【図３】
0005524320.tif 000004
【図４】
0005524320.tif 000005
【図５】
0005524320.tif 000006
【図６】
0005524320.tif 000007
【図７】
0005524320.tif 000008
【図８】
0005524320.tif 000009
【図９】
0005524320.tif 000010
【図１０】
0005524320.tif 000011
【図１１】
0005524320.tif 000012
【図１２】
0005524320.tif 000013
【図１３】
0005524320.tif 000014